(57)【要約】【課題】  狭いスペースに配置された場合にあってもカバーの取り外しが容易で、しかも、カバーの防水性に優れた電気接続箱を提供する。【解決手段】  ケース本体３の内部が仕切壁６によって２つの部品収容室７ａ，７ｂに仕切られていると共にこの２つの部品収容室７ａ，７ｂ間が仕切壁６の一部の切り欠きによる連通路９によって連通されていると共に、ケース本体３にそれぞれ組み付けられ、且つ、各部品収容室７ａ，７ｂの開口面をそれぞれ塞ぐ第１及び第２カバー４，５が設けられ、第１及び第２カバー４，５には、連通路９の開口面をオーバーラップ状態で覆うラップ部１８，１９がそれぞれ設けられた。【選択図】      図２
2006121880.tif 000002
【特許請求の範囲】
【請求項１】
ケース本体の内部が仕切壁によって複数の部品収容室に仕切られていると共にこの複数の部品収容室間が前記仕切壁の一部の切り欠きによる連通路によって連通されていると共に、前記ケース本体にそれぞれ組み付けられ、且つ、前記各部品収容室の開口面をそれぞれ塞ぐ複数のカバーが設けられ、前記各カバーには、前記連通路の開口面をオーバーラップ状態で覆うラップ部がそれぞれ設けられたことを特徴とする電気接続箱。
【請求項２】
請求項１記載の電気接続箱であって、
前記一方のラップ部は、周縁に沿って突出する突壁部とこの突壁部の内側縁に沿って配置された溝部とを有し、前記他方のラップ部は、前記突壁部を覆う覆い部と、この覆い部の周縁より折曲されて前記溝部に入り込む折曲係止部とを有することを特徴とする電気接続箱。
【請求項３】
請求項１又は請求項２記載の電気接続箱であって、
前記一方のラップ部を有する前記カバーは、内部スペースが開口部とされた枠形状を有し、前記一方のラップ部を付設したカバーフレームと、このカバーフレームに組み付けられ、前記開口部を塞ぐカバー本体とから構成されたことを特徴とする電気接続箱。
【請求項４】
請求項１〜請求項３のいずれか１項記載の電気接続箱であって、
前記ケース本体内は、単一の前記仕切壁によって２つの部品収容室に仕切られ、カバーは第１カバーと第２カバーの２つであることを特徴とする電気接続箱。
【発明の詳細な説明】
【技術分野】
【０００１】
本発明は、自動車等に搭載され、ケース本体内に複数の部品収容室を有する電気接続箱に関する。
【背景技術】
【０００２】
この種の従来の電気接続箱として、図６に示す特許文献１に開示されたものがある。この電気接続箱１００は、図６に示すように、水密構造に形成されたケース１０１を有し、このケース１０１は上面が開口されたケース本体１０２と、このケース本体１０２の開口面を塞ぐよう組み付けられるカバー１０３とから構成されている。ケース本体１０２の内部は仕切壁１０４によって２つの部品収容室１０５，１０６に仕切られている。
【０００３】
上記電気接続箱１００は、２つの部品収容室１０５，１０６を有するため、収容する電気部品を種々の区分けによって分離収容することができるという利点がある。
【特許文献１】特開２００２−３４１２２号公報（図４）
【発明の開示】
【発明が解決しようとする課題】
【０００４】
しかしながら、前記従来の電気接続箱１００では、ケース本体１０２内の２つの部品収容室１０５，１０６を１つのカバー１０３で塞いでいるため、カバー１０３の寸法が大きい。そのため、電気接続箱１００がエンジンルーム等のように狭いスペースに配置される場合には、カバー１０３を外す作業が非常に面倒である場合がある。
【０００５】
ここで、各部品収容室１０５，１０６を２つのカバーでそれぞれ覆うようにすることが考えられるが、仕切壁１０４の一部には切り欠きによってワイヤーハーネス配索用の連通路が形成されるのが一般的である。そのため、２つのカバーで単に各部品収容室１０５，１０６の開口面を覆うようにすると、双方のカバーの隙間を介して連通路に水が浸入し易く、防水性に問題が出る。
【０００６】
そこで、本発明は、前記した課題を解決すべくなされたものであり、狭いスペースに配置された場合にあってもカバーの取り外しが容易で、しかも、カバーの防水性に優れた電気接続箱を提供することを目的とする。
【課題を解決するための手段】
【０００７】
請求項１の発明は、ケース本体の内部が仕切壁によって複数の部品収容室に仕切られていると共にこの複数の部品収容室間が前記仕切壁の一部の切り欠きによる連通路によって連通されていると共に、前記ケース本体にそれぞれ組み付けられ、且つ、前記各部品収容室の開口面をそれぞれ塞ぐ複数のカバーが設けられ、前記各カバーには、前記連通路の開口面をオーバーラップ状態で覆うラップ部がそれぞれ設けられたことを特徴とする。
【０００８】
請求項２の発明は、請求項１記載の電気接続箱であって、前記一方のラップ部は、周縁に沿って突出する突壁部とこの突壁部の内側縁に沿って配置された溝部とを有し、前記他方のラップ部は、前記突壁部を覆う覆い部と、この覆い部の周縁より折曲されて前記溝部に入り込む折曲係止部とを有することを特徴とする。
【０００９】
請求項３の発明は、請求項１又は請求項２記載の電気接続箱であって、前記一方のラップ部を有する前記カバーは、内部スペースが開口部とされた枠形状を有し、前記一方のラップ部を付設したカバーフレームと、このカバーフレームに組み付けられ、前記開口部を塞ぐカバー本体とから構成されたことを特徴とする。
【００１０】
請求項４の発明は、請求項１〜請求項３のいずれか１項記載の電気接続箱であって、前記ケース本体内は、単一の前記仕切壁によって２つの部品収容室に仕切られ、カバーは第１カバーと第２カバーの２つであることを特徴とする。
【発明の効果】
【００１１】
請求項１の発明によれば、ケース本体の開口面を覆うカバーを分割したため、カバーを取り外すためのエリアが狭い場合にもカバーを容易に取り外しできる。又、双方のカバーのラップ部がオーバーラップ状態で連通路の開口面を覆うため、カバーの外面に付いた水が連通路に浸入することを防止でき、防水性に優れている。
【００１２】
請求項２の発明によれば、請求項１の発明の効果に加え、双方のラップ部付近に飛散等した水は、溝部に入り込み、溝部に入り込んだ水が突壁部によって周縁側に流れることができずに溝部を通ってその端面より下方に落下する。従って、カバーの外面に付いた水が連通路に浸入することを確実に防止できる。
【００１３】
請求項３の発明によれば、請求項１又は請求項２の発明の効果に加え、他方のラップ部を有するカバーと、もう一方のカバーのカバー本体とをそれぞれ独立で取り外しできるため、２つの部品収容室を別個独立に開放できる。従って、開放したい部品収容室だけ単独で開放でき、メンテナンスや修理時に便利である。
【００１４】
請求項４の発明によれば、ケース本体内に２つの部品収容室を設けたものにあって、請求項１〜請求項３の発明と同様の効果が得られる。
【発明を実施するための最良の形態】
【００１５】
以下、本発明の一実施形態を図面に基づいて説明する。
【００１６】
図１〜図５は本発明の一実施形態を示し、図１は電気接続箱１の分解斜視図、図２はケース２の分解斜視図、図３は第１カバー４の分解斜視図、図４は双方のラップ部１８，１９の箇所の分解斜視図、図５は双方のラップ部１８，１９のオーバーラップ状態を示す断面図である。
【００１７】
電気接続箱１は、図１及び図２に示すように、内部への水の侵入を防止するよう水密構造に形成されたケース２を有する。このケース２は、上面が開口されたケース本体３とこのケース本体３の上面を塞ぐように組み付けされるカバーである第１カバー４及びカバーである第２カバー５とから構成されている。
【００１８】
ケース本体３の内部のほぼ中央には仕切壁６が立設されている。仕切壁６は微小間隔を開けて配置された２重の壁部６ａ，６ｂにて形成され、２重の壁部６ａ，６ｂの間に浸入した水は外部に排出されるようになっている。そして、ケース本体３の内部は、仕切壁６によって２つの部品収容室７ａ，７ｂに大まかに仕切られている。各部品収容室７ａ，７ｂにはリレーブロック体８，（図示せず）等がそれぞれ収容されている。又、２つの部品収容室７ａ，７ｂは仕切壁６の一部切り欠きによる連通路９を介して連通されており、この連通路９を利用して２つの部品収容室７ａ，７ｂ間に亘ってワイヤーハーネス（図示せず）が配索される。
【００１９】
ケース本体３の側壁には、上端が開口されたハーネス用切欠溝１０，１１が２箇所に形成されており、ワイヤーハーネス（図示せず）が挿入された各ハーネス用切欠溝１０，１１には止水カバー１２，１３が上方からスライドによってそれぞれ装着される。各止水カバー１２，１３が装着されると、止水カバー１２，１３で閉塞されない各ハーネス用切欠溝１０，１１によってワイヤーハーネス（図示せず）を通すハーネス出入口１４ａ，１４ｂ，１５ａ，１５ｂがそれぞれ形成される。各ハーネス出入口１４ａ，１４ｂ，１５，１５ｂは、配索されるワイヤーハーネス（図示せず）の各断面寸法に相当する寸法に設定され、各ハーネス出入口１４ａ，１４ｂ，１５ａ，１５ｂとワイヤーハーネス（図示せず）間の隙間から水が浸入しないようになっている。
【００２０】
第１カバー４は、図１及び図２に示すように、ケース本体３に組み付けられ、一方の部品収容室７ａの開口面を全て塞いでいる。第１カバー４は、図３に詳しく示すように、ケース本体３の上端の周縁に沿って配置され、内部スペースが開口部１６ａ（図３に示す）とされたカバーフレーム１６と、このカバーフレーム１６の上面に組み付けられ、開口部１６ａを塞ぐカバー本体１７とから構成されている。カバーフレーム１６の全周縁部はケース本体３の外周縁及び仕切壁６の一方の壁部６ａの外側にオーバーラップ状態で配置され、カバーフレーム１６の上面に付着した水はケース本体３の外側、又は、仕切壁６の２重壁６ａ，６ｂの間に落下するようになっている。
【００２１】
カバーフレーム１６には、図４及び図５に詳しく示すように、連通路９の開口面の上方を覆うように一方のラップ部１８が突設されている。この一方のラップ部１８は、図４及び図５に示すように、周縁に沿って突出する突壁部１８ａとこの突壁部１８ａの内側縁に沿って配置された溝部１８ｂとを有している。溝部１８ｂの一方の端面は、ケース本体３の外周壁の外側に配置され、溝部１８ｂの他方の端面は、仕切壁６上に配置されている。
【００２２】
又、カバー本体１７の全周縁部はカバーフレーム１６の内周縁の外側をオーバーラップ状態で覆い、カバー本体１７の上面に付着した水はカバーフレーム１６上に落下するようになっている。
【００２３】
第２カバー５は、図１及び図２に示すように、ケース本体３に組み付けられ、他方の部品収容室７ｂの開口面を全て塞いでいる。第２カバー５の全周縁部はケース本体３の外周縁及び仕切壁６の他方の壁部６ｂの外側にオーバーラップ状態で配置され、第１カバー５の上面に付着した水はケース本体３より外側、又は、仕切壁６の２重壁６ａ，６ｂの間に落下するようになっている。
【００２４】
第２カバー５には、図４及び図５に詳しく示すように、連通路９の開口面の上方を覆うように他方のラップ部１９が突設されている。他方のラップ部１９は、突壁部１８ａを覆う覆い部１９ａと、この覆い部１９ａの周縁より下方に折曲されて溝部１８ｂに入り込む折曲係止部１９ｂとを有している。つまり、第１及び第２カバー４，５の双方のラップ部１８，１９が連通路９の開口面をオーバーラップ状態で覆っている。
【００２５】
上記構成において、ケース本体３の内部全体を開放したい場合には、第２カバー５を取り外し、その後に第１カバー４（又は、第１カバー４のカバー本体１７）を取り外す。第１カバー４（又はカバー本体１７）及び第２カバー５は、ケース本体３の開口面積に較べて十分に小さいため、第１カバー４（又はカバー本体１７）及び第２カバー５を取り外すためのエリアが狭い場合にも容易に取り外しできる。
【００２６】
又、一方の部品収容室７ａのみを開放したい場合には、第１カバー４のカバー本体１７を取り外す。他方の部品収容室７ｂのみを開放したい場合には第２カバー５のみを取り外す。このように開放したい部品収容室７ａ，７ｂだけ単独で開放できるため、メンテナンスや修理時に便利である。
【００２７】
又、第１及び第２カバー４，５のラップ部１８，１９がオーバーラップ状態で連通路９の開口面を覆うため、双方のラップ部１８，１９の隙間より水が連通路９に浸入することを防止でき、防水性に優れている。
【００２８】
特に、一方のラップ部１８は、周縁に沿って突出する突壁部１８ａとこの突壁部１８ａの内側縁に沿って配置された溝部１８ｂとを有し、他方のラップ部１９は、突壁部１８ａを覆う覆い部１９ａと、この覆う部１９ａの周縁より折曲されて溝部１８ｂに入り込む折曲係止部１９ｂとを有するので、双方のラップ部１８，１９付近に飛散等した水は、溝部１８ｂに入り込み、溝部１８ｂに入り込んだ水は突壁部１８ａによって周縁側に流れることができない。そのため、水は溝部１８ｂを通ってその端面より外部に落下する。従って、双方のラップ部１８，１９の隙間より水が連通路９に浸入することを確実に防止できる。
【００２９】
前記実施形態では、ケース本体３内が１つの仕切壁６によって２つの部品収容室７ａ，７ｂに仕切されているが、２以上の仕切壁６によって３つ以上の部品収容室に仕切られる場合においても、本発明を略同様に適用できることはもちろんである。
【図面の簡単な説明】
【００３０】
【図１】本発明の一実施形態を示し、電気接続箱の分解斜視図である。
【図２】本発明の一実施形態を示し、ケースの分解斜視図である。
【図３】本発明の一実施形態を示し、第１カバーの分解斜視図である。
【図４】本発明の一実施形態を示し、双方のラップ部の箇所の分解斜視図である。
【図５】本発明の一実施形態を示し、双方のラップ部のオーバーラップ状態を示す断面図である。
【図６】従来例の電気接続箱の断面図である。
【符号の説明】
【００３１】
１  電気接続箱
３  ケース本体
４  第１カバー（カバー）
５  第２カバー（カバー）
６  仕切壁
７ａ，７ｂ  部品収容室
９  連通路
１６  カバーフレーム
１６ａ  開口部
１７  カバー本体
１８  一方のラップ部
１８ａ  突壁部
１８ｂ  溝部
１９  他方のラップ部
１９ａ  覆い部
１９ｂ  折曲係止部
【図１】
2006121880.tif 000003
【図２】
2006121880.tif 000004
【図３】
2006121880.tif 000005
【図４】
2006121880.tif 000006
【図５】
2006121880.tif 000007
【図６】
2006121880.tif 000008